(57)【要約】      （修正有）【課題】通信ネットワークの負担を軽減する。【解決手段】情報処理装置は、一又は複数の移動可能な通信端末の位置を示す情報と、通信端末が接続している基地局の情報と、を取得する端末情報取得部２０１と、複数の領域のうち、通信端末に依頼して計測情報を取得する領域を特定する領域特定部２０２と、通信端末の位置を示す情報に基づいて決定された通信端末に、領域特定部２０２が特定した領域の計測情報の取得を依頼する情報取得依頼部２０３と、通信端末との間のデータ通信経路となるネットワークの負荷を示す情報を取得するネットワーク情報取得部２０５と、計測情報の取得を依頼した通信端末が接続しているネットワークの負荷が計測情報の送信を許容できる目安となる所定の負荷よりも小さい場合に、通信端末に通信端末が接続している基地局を介して計測情報を送信することを依頼する情報送信依頼部２０６と、を備える。【選択図】図３
2018056646.tif 000002
【特許請求の範囲】
【請求項１】
一又は複数の移動可能な通信端末の位置を示す情報と、前記通信端末が接続している基地局の情報と、を取得する端末情報取得部と、
複数の領域のうち、前記通信端末に依頼して計測情報を取得する領域を特定する領域特定部と、
前記通信端末の位置を示す情報に基づいて決定された通信端末に、前記領域特定部が特定した領域の前記計測情報の取得を依頼する情報取得依頼部と、
前記通信端末との間のデータ通信経路となるネットワークの負荷を示す情報を取得するネットワーク情報取得部と、
前記計測情報の取得を依頼した前記通信端末が接続しているネットワークの負荷が前記計測情報の送信を許容できる目安となる所定の負荷よりも小さい場合に、前記通信端末に前記通信端末が接続している前記基地局を介して前記計測情報を送信することを依頼する情報送信依頼部と、
を備える情報処理装置。
【請求項２】
前記情報送信依頼部は、前記計測情報の取得を依頼した前記通信端末が、前記基地局よりも電波の到達範囲が狭く通信容量が大きい別の種類の基地局に接続している場合、前記通信端末に前記別の種類の基地局を介して前記計測情報を送信することを依頼する、
請求項１に記載の情報処理装置。
【請求項３】
前記ネットワーク情報取得部が取得する前記ネットワークの負荷を示す情報は、前記通信端末が接続する基地局の負荷に関する情報を含み、
前記情報送信依頼部は、前記基地局のトラフィック量が前記計測情報の送信を許容できる目安となる所定の値よりも小さい場合に、前記通信端末に前記基地局を介して前記計測情報を送信することを依頼する、
請求項１又は２に記載の情報処理装置。
【請求項４】
前記ネットワーク情報取得部が取得する前記ネットワークの負荷を示す情報は、前記通信端末が接続する基地局の負荷に関する情報を含み、
前記情報送信依頼部は、前記基地局に接続する前記通信端末の数が前記計測情報の送信を許容できる目安となる所定の数よりも小さい場合に、前記通信端末に前記基地局を介して前記計測情報を送信することを依頼する、
請求項１乃至３の何れか一項に記載の情報処理装置。
【請求項５】
前記情報取得依頼部が依頼した前記通信端末から前記計測情報を取得したことの通知を受信する取得済情報受信部をさらに備え、
前記情報送信依頼部は、前記通知を受けて前記通信端末に前記計測情報の送信を依頼する、
請求項１乃至４の何れか一項に記載の情報処理装置。
【請求項６】
前記領域特定部は、前記計測情報を更新する所定の期間が経過したか否かに基づいて前記領域を特定する、
請求項１乃至５の何れか一項に記載の情報処理装置。
【請求項７】
前記情報取得依頼部は、前記計測情報を取得するように依頼した前記通信端末を識別する情報を記録部に記録し、前記計測情報を取得するように既に依頼した前記通信端末には前記計測情報を取得する依頼をしない、
請求項１乃至６の何れか一項に記載の情報処理装置。
【請求項８】
前記情報送信依頼部は、さらに、前記通信端末の所定の期間過去からのデータ使用量が所定の値よりも小さい場合に、前記通信端末に前記基地局を介して前記計測情報を送信することを依頼する、
請求項１乃至７の何れか一項に記載の情報処理装置。
【請求項９】
一又は複数の移動可能な通信端末とサーバとを備える情報処理システムであって、
前記通信端末はそれぞれ、
前記通信端末の位置を示す情報と、前記通信端末が接続している基地局の情報と、を前記サーバに送信する端末情報送信部と、
前記サーバから特定の領域の計測情報を取得する依頼を受けて前記計測情報を取得する計測情報取得部と、
前記サーバから前記計測情報を送信する依頼を受けて、前記通信端末が接続している基地局を介して前記計測情報を前記サーバに送信する計測情報送信部と、
を備え、
前記サーバは、
前記一又は複数の移動可能な通信端末の位置を示す情報と、前記通信端末が接続している基地局の情報と、を取得する端末情報取得部と、
複数の領域のうち、前記通信端末に依頼して計測情報を取得する領域を特定する領域特定部と、
前記通信端末の位置を示す情報に基づいて決定された通信端末に、前記領域特定部が特定した領域の前記計測情報の取得を依頼する情報取得依頼部と、
前記通信端末との間のデータ通信経路となるネットワークの負荷を示す情報を取得するネットワーク情報取得部と、
前記計測情報の取得を依頼した前記通信端末が接続しているネットワーク
の負荷が前記計測情報の送信を許容できる目安となる所定の負荷よりも小さい場合に、前記通信端末に前記通信端末が接続している前記基地局を介して前記計測情報を送信することを依頼する情報送信依頼部と、
を備える情報処理システム。
【請求項１０】
一又は複数の移動可能な通信端末の位置を示す情報と、前記通信端末が接続している基地局の情報と、を取得するステップと、
複数の領域のうち、前記通信端末に依頼して計測情報を取得する領域を特定するステップと、
前記通信端末の位置を示す情報に基づいて決定された通信端末に、特定した前記領域の前記計測情報の取得を依頼するステップと、
前記通信端末との間のデータ通信経路となるネットワークの負荷を示す情報を取得するステップと、
前記計測情報の取得を依頼した前記通信端末が接続しているネットワークの負荷が前記計測情報の送信を許容できる目安となる所定の負荷よりも小さい場合に、前記通信端末に前記通信端末が接続している前記基地局を介して前記計測情報を送信することを依頼するステップと、
をプロセッサが実行する情報処理方法。
【請求項１１】
コンピュータに、
一又は複数の移動可能な通信端末の位置を示す情報と、前記通信端末が接続している基地局の情報と、を取得する機能と、
複数の領域のうち、前記通信端末に依頼して計測情報を取得する領域を特定する機能と、
前記通信端末の位置を示す情報に基づいて決定された通信端末に、特定した前記領域の前記計測情報の取得を依頼する機能と、
前記通信端末との間のデータ通信経路となるネットワークの負荷を示す情報を取得する機能と、
前記計測情報の取得を依頼した前記通信端末が接続しているネットワークの負荷が前記計測情報の送信を許容できる目安となる所定の負荷よりも小さい場合に、前記通信端末に前記通信端末が接続している前記基地局を介して前記計測情報を送信することを依頼する機能と、
を実現させるプログラム。
【発明の詳細な説明】
【技術分野】
【０００１】
本発明は、ネットワークの負荷を平準化する情報処理装置、情報処理システム、情報処理方法及びプログラムに関する。
【背景技術】
【０００２】
従来、複数の通信端末に当該通信端末周辺の画像データ、測距データ及び測位データ等を収集させ、上記通信端末それぞれが収集したデータを取得して統合した統合データを作成する技術が知られている。特許文献１には、データ収集装置を搭載した複数の車両からデータ収集装置により収集された情報を取得し、取得した情報を用いて地図データを生成する地図データ生成装置が開示されている。
【先行技術文献】
【特許文献】
【０００３】
【特許文献１】特開２０１２−１５５６６０号公報
【発明の概要】
【発明が解決しようとする課題】
【０００４】
ところで、上記のような移動する車両に搭載されたデータ収集装置からデータを取得する場合、無線通信ネットワークを介してデータを収集することが多い。上記データ収集装置から受信するデータは、例えば、画像データといった比較的データ容量が大きいデータを含む。そのため、サーバが通信ネットワークを介して上記データを短期間に取得すると、通信ネットワークに大きな負荷がかかり、その他の通信の障害となり得るという問題が生じていた。
【０００５】
そこで、本発明はこれらの点に鑑みてなされたものであり、通信ネットワークの負担を軽減する技術を提供することを目的とする。
【課題を解決するための手段】
【０００６】
本発明の第１の態様においては、一又は複数の移動可能な通信端末の位置を示す情報と、前記通信端末が接続している基地局の情報と、を取得する端末情報取得部と、複数の領域のうち、前記通信端末に依頼して計測情報を取得する領域を特定する領域特定部と、前記通信端末の位置を示す情報に基づいて決定された通信端末に、前記領域特定部が特定した領域の前記計測情報の取得を依頼する情報取得依頼部と、前記通信端末との間のデータ通信経路となるネットワークの負荷を示す情報を取得するネットワーク情報取得部と、前記計測情報の取得を依頼した前記通信端末が接続しているネットワークの負荷が前記計測情報の送信を許容できる目安となる所定の負荷よりも小さい場合に、前記通信端末に前記通信端末が接続している前記基地局を介して前記計測情報を送信することを依頼する情報送信依頼部と、を備える情報処理装置を提供する。
【０００７】
前記情報送信依頼部は、例えば、前記計測情報の取得を依頼した前記通信端末が、前記基地局よりも電波の到達範囲が狭く通信容量が大きい別の種類の基地局に接続している場合、前記通信端末に前記別の種類の基地局を介して前記計測情報を送信することを依頼する。
【０００８】
前記ネットワーク情報取得部が取得する前記ネットワークの負荷を示す情報は、前記通信端末が接続する基地局の負荷に関する情報を含み、前記情報送信依頼部は、例えば、前記基地局のトラフィック量が前記計測情報の送信を許容できる目安となる所定の値よりも小さい場合に、前記通信端末に前記基地局を介して前記計測情報を送信することを依頼する。
【０００９】
前記ネットワーク情報取得部が取得する前記ネットワークの負荷を示す情報は、前記通信端末が接続する基地局の負荷に関する情報を含み、前記情報送信依頼部は、例えば、前記基地局に接続する前記通信端末の数が前記計測情報の送信を許容できる目安となる所定の数よりも小さい場合に、前記通信端末に前記基地局を介して前記計測情報を送信することを依頼する。
【００１０】
前記情報取得依頼部が依頼した前記通信端末から前記計測情報を取得したことの通知を受信する取得済情報受信部をさらに備え、前記情報送信依頼部は、例えば、前記通知を受けて前記通信端末に前記計測情報の送信を依頼する。
【００１１】
前記領域特定部は、例えば、前記計測情報を更新する所定の期間が経過したか否かに基づいて前記領域を特定する。
【００１２】
前記情報取得依頼部は、例えば、前記計測情報を取得するように依頼した前記通信端末を識別する情報を記録部に記録し、前記計測情報を取得するように既に依頼した前記通信端末には前記計測情報を取得する依頼をしない。
【００１３】
前記情報送信依頼部は、例えば、さらに、前記通信端末の所定の期間過去からのデータ使用量が所定の値よりも小さい場合に、前記通信端末に前記基地局を介して前記計測情報を送信することを依頼する。
【００１４】
本発明の第２の態様においては、一又は複数の移動可能な通信端末とサーバとを備える情報処理システムであって、前記通信端末はそれぞれ、前記通信端末の位置を示す情報と、前記通信端末が接続している基地局の情報と、を前記サーバに送信する端末情報送信部と、前記サーバから特定の領域の計測情報を取得する依頼を受けて前記計測情報を取得する計測情報取得部と、前記サーバから前記計測情報を送信する依頼を受けて、前記通信端末が接続している基地局を介して前記計測情報を前記サーバに送信する計測情報送信部と、を備え、前記サーバは、前記一又は複数の移動可能な通信端末の位置を示す情報と、前記通信端末が接続している基地局の情報と、を取得する端末情報取得部と、複数の領域のうち、前記通信端末に依頼して計測情報を取得する領域を特定する領域特定部と、前記通信端末の位置を示す情報に基づいて決定された通信端末に、前記領域特定部が特定した領域の前記計測情報の取得を依頼する情報取得依頼部と、前記通信端末との間のデータ通信経路となるネットワークの負荷を示す情報を取得するネットワーク情報取得部と、前記計測情報の取得を依頼した前記通信端末が接続しているネットワークの負荷が前記計測情報の送信を許容できる目安となる所定の負荷よりも小さい場合に、前記通信端末に前記通信端末が接続している前記基地局を介して前記計測情報を送信することを依頼する情報送信依頼部と、を備える情報処理システムを提供する。
【００１５】
本発明の第３の態様においては、一又は複数の移動可能な通信端末の位置を示す情報と、前記通信端末が接続している基地局の情報と、を取得するステップと、複数の領域のうち、前記通信端末に依頼して計測情報を取得する領域を特定するステップと、前記通信端末の位置を示す情報に基づいて決定された通信端末に、特定した前記領域の前記計測情報の取得を依頼するステップと、前記通信端末との間のデータ通信経路となるネットワークの負荷を示す情報を取得するステップと、前記計測情報の取得を依頼した前記通信端末が接続しているネットワークの負荷が前記計測情報の送信を許容できる目安となる所定の負荷よりも小さい場合に、前記通信端末に前記通信端末が接続している前記基地局を介して前記計測情報を送信することを依頼するステップと、をプロセッサが実行する情報処理方法を提供する。
【００１６】
本発明の第４の態様においては、コンピュータに、一又は複数の移動可能な通信端末の位置を示す情報と、前記通信端末が接続している基地局の情報と、を取得する機能と、複数の領域のうち、前記通信端末に依頼して計測情報を取得する領域を特定する機能と、前記通信端末の位置を示す情報に基づいて決定された通信端末に、特定した前記領域の前記計測情報の取得を依頼する機能と、前記通信端末との間のデータ通信経路となるネットワークの負荷を示す情報を取得する機能と、前記計測情報の取得を依頼した前記通信端末が接続しているネットワークの負荷が前記計測情報の送信を許容できる目安となる所定の負荷よりも小さい場合に、前記通信端末に前記通信端末が接続している前記基地局を介して前記計測情報を送信することを依頼する機能と、を実現させるプログラムを提供する。
【発明の効果】
【００１７】
本発明によれば、通信ネットワークの負担を軽減するという効果を奏する。
【図面の簡単な説明】
【００１８】
【図１】実施の形態に係る情報処理システムを説明するための図である。
【図２】通信端末の構成を概略的に示す図である。
【図３】サーバの構成を概略的に示す図である。
【図４】通信端末情報テーブルの例を示す表である。
【図５】更新情報テーブルの例を示す表である。
【図６】サーバが通信端末に計測情報の取得を依頼する処理のフローチャートである。
【図７】ネットワーク情報テーブルの例を示す表である。
【図８】サーバが通信端末に計測情報の送信を依頼する処理のフローチャートである。
【図９】情報処理システムが実行する処理のフローチャートである。
【発明を実施するための形態】
【００１９】
［概要］
図１は、実施の形態に係る情報処理システムＳを説明するための図である。情報処理システムＳは、一又は複数の移動可能な通信端末１とサーバ２とを備える。通信端末１とサーバ２とは、基地局を介して互いにデータの送受信をする。通信端末１が接続する基地局は、例えば、携帯電話のネットワーク網を構成する携帯基地局３である。
【００２０】
サーバ２には、例えば、複数の領域に関する計測情報が記録されている。サーバ２は、計測情報の前回の更新時点を参照し、計測情報の更新が必要である領域を特定する。サーバ２は情報を更新する当該領域の計測情報を取得可能な通信端末１を選択し、通信端末１の周辺の計測情報を取得するように依頼する。通信端末１は、サーバ２に自端末の位置を示す情報をサーバ２に送信しているため、サーバ２は、更新が必要な計測情報を取得可能な通信端末１を選択することができる。
【００２１】
通信端末１が取得する計測情報は、画像データといった容量の大きい情報を含む。そのため、複数の通信端末１が、取得した計測情報を一度に特定の携帯基地局３を介してサーバ２へ送信しようとすると携帯基地局３にかかる負荷が大きくなり、当該携帯基地局３においてデータの送受信に障害が発生する可能性がある。
【００２２】
そこで、サーバ２は、通信端末１とサーバ２との間のデータ通信経路となるネットワークの負荷を示す情報を取得して、計測情報の取得を依頼した通信端末１が接続しているネットワークの負荷が計測情報の送信を許容できる目安となる所定の負荷よりも小さい場合に、通信端末１に通信端末１が接続している携帯基地局３を介して計測情報を送信することを依頼する。このようにすることにより、情報処理システムＳは、携帯基地局３を含むネットワークに過度な負担を強いることなく通信端末１からデータを収集することができる。
【００２３】
［通信端末１の構成］
図２は、通信端末１の構成を概略的に示す図である。通信端末１は、カメラ１１、レーザ光源１２、温度センサ１３、ＧＰＳ（Global Positioning System）センサ１４、記録部１５、通信部１６及びそれらを制御する制御部１７を備える。
【００２４】
記録部１５には、地図上の領域を特定するための位置識別子とＧＰＳの位置座標との対応関係が記録されている。また、制御部１７は、記録部１５に記録されたプログラムを実行することによって、計測情報取得部１７１、端末情報送信部１７２及び計測情報送信部１７３として機能する。
【００２５】
計測情報取得部１７１は、例えば、撮影した撮影画像、測距データ、点群データ、周囲の温度等の計測情報を取得する。端末情報送信部１７２は、自端末の位置情報を、通信部１６を介してサーバ２に送信する。また、計測情報送信部１７３は、サーバ２に上記計測情報を送信する。計測情報送信部１７３は、計測情報を取得時に計測情報が取得済みであることを示す取得情報をサーバ２に送信する。
【００２６】
［サーバ２の構成］
図３は、サーバ２の構成を概略的に示す図である。サーバ２は、記録部２１、制御部２２及び通信部２３を備える。通信部２３は制御部２２によって制御され、通信端末１とデータの送受信をする。
【００２７】
記録部２１は、例えば、ＲＯＭ（Read Only Memory）、ＲＡＭ（Random Access Memory）、及びＨＤＤ（Hard Disk Drive）を備える。ＲＯＭには、例えば、制御部２２が実行するプログラムが記録されている。ＲＡＭには、例えば、計測情報を依頼するために選択した通信端末１及び計測情報の更新が必要な領域が記録されている。
【００２８】
ＨＤＤには、例えば、通信端末１とサーバ２との間のデータ通信経路となるネットワークの負荷を示す情報であるネットワーク情報と通信端末１の識別情報、通信端末１の位置情報、通信端末１が接続している基地局に関する情報等を含む通信端末情報と複数の領域に関する計測情報と上記計測情報の更新日時を示す更新情報とが記録されている。
【００２９】
制御部２２は、記録部２１に記録されたプログラムを実行することによって、端末情報取得部２０１、領域特定部２０２、情報取得依頼部２０３、取得済情報受信部２０４、ネットワーク情報取得部２０５及び情報送信依頼部２０６として機能する。
【００３０】
端末情報取得部２０１は、一又は複数の移動可能な通信端末１の位置を示す情報と、通信端末１が接続している基地局の情報と、を取得する。端末情報取得部２０１は、通信端末１の所定の期間よりも過去のデータ通信量をさらに取得してもよい。上記所定の期間は、通信料金を課す際のデータ通信量を測る目安となる期間であり、例えば、１か月間である。端末情報取得部２０１は、取得した各情報を記録部２１内の通信端末情報テーブルに記録する。
【００３１】
図４は、通信端末情報テーブルの例を示す表である。図３に示した通信端末情報テーブルの例には、通信端末１を識別するためのＩＤである端末識別子、通信端末１が存在する位置を示す位置識別子、通信端末１が接続している基地局の情報、通信端末１の所定の期間よりも過去のデータ通信量及び通信端末情報を更新した日時が記されている。なお、位置識別子は、例えば、地図において区分けされた複数の領域の一つを特定するＩＤである。
【００３２】
図４に示した例では、通信端末１が接続している基地局の種類として、携帯基地局３及びＷｉ−Ｆｉ基地局が記されている。Ｗｉ−Ｆｉ基地局は、携帯基地局３に比べて、電波が届く範囲は狭いが通信容量は大きい。サーバ２は、通信端末１が接続している基地局の種類が携帯基地局３の場合は、携帯基地局３の通信負荷が軽度であることを示す所定の条件を満たした場合に通信端末１が取得した計測情報を送信するよう依頼する。
【００３３】
領域特定部２０２は、複数の領域のうち、通信端末１に依頼して計測情報を取得する領域を特定する。具体的には、領域特定部２０２は、計測情報を更新する所定の期間が経過したか否かに基づいて上記領域を特定する。上記所定の期間は、取得するデータに合わせて任意に変更可能である。例えば、取得するデータが画像データならば、一月間隔で計測情報を更新し、温度データなら毎日計測情報を更新する。また、上記領域は、例えば、先に述べた位置識別子と対応づけられる。
【００３４】
図５は、更新情報テーブルの例を示す表である。更新情報テーブルには、領域の位置識別子、携帯基地局３の電波到達エリアを示すエリア識別子、計測情報を通信端末１に取得するよう依頼したか否かを示す情報、計測情報を取得したことを示す情報及び複数の領域における計測情報の更新日時が記録されている。
【００３５】
領域特定部２０２は、例えば、各領域を表す位置識別子毎に計測情報の更新日時を参照し、計測情報の取得が必要な場合には、通信端末１に計測情報の取得を既に依頼しているか否かを確認する。通信端末１に計測情報の取得を依頼していない場合、領域特定部２０２は、当該領域を計測情報の取得が必要な領域として特定する。
【００３６】
図５に示した例では、ＩＤ１の位置識別子で表される領域は、計測情報を取得するように端末識別子がＫＬ２０２０で特定される通信端末１に既に依頼している。一方、ＩＤ２の位置識別子で表される領域は、計測情報を取得するように通信端末１に依頼していない。したがって、更新日時「２０１６年９月１２日１２：００」が、所定の期間よりもさらに古い過去である場合、領域特定部２０２は、ＩＤ２の位置識別子で表される領域を計測情報の取得が必要な領域として特定する。
【００３７】
情報取得依頼部２０３は、通信端末１の位置を示す情報に基づいて決定された通信端末１に、領域特定部２０２が特定した領域の計測情報の取得を依頼する。具体的には、情報取得依頼部２０３は、領域特定部２０２が特定した領域において計測情報を取得できる通信端末１を通信端末情報テーブルを参照して特定し、当該通信端末１に依頼する。計測情報の取得を依頼する通信端末１は、例えば、通信端末１が計測情報を取得する領域の位置識別子と同じ位置識別子が記録された通信端末１又は上記領域と隣り合う領域の位置識別子が記録された通信端末１である。
【００３８】
情報取得依頼部２０３は、計測情報を取得するように依頼した通信端末１を識別する情報を記録部２１に記録し、計測情報を取得するように既に依頼した通信端末１には計測情報を取得する依頼をしないようにしてもよい。言い換えると、領域特定部２０２が通信端末１に計測情報の取得を既に依頼しているか否かを確認するのではなく、情報取得依頼部２０３が通信端末１に計測情報の取得を既に依頼しているか否かを確認し、情報取得依頼部２０３は計測情報の取得を依頼済みの通信端末１に依頼をしないようにしてもよい。
【００３９】
図６は、サーバ２が通信端末１に計測情報の取得を依頼する処理のフローチャートである。先ず、領域特定部２０２が、更新情報テーブルを参照して計測情報を取得する領域を特定する処理から開始する（Ｓ６１）。続いて、情報取得依頼部２０３が、通信端末情報テーブルを参照して、領域特定部２０２が特定した領域の計測情報を取得可能な通信端末１を決定し（Ｓ６２）、決定した通信端末１に特定した領域の計測情報の取得を依頼して処理を終了する（Ｓ６３）。
【００４０】
取得済情報受信部２０４は、情報取得依頼部２０３が依頼した通信端末１から計測情報を取得したことの通知を受信する。取得済情報受信部２０４は、上記通知を受けて計測情報が取得済みの通信端末１を記録部２１に記録する。または、取得済情報受信部２０４は、依頼済み端末から計測情報を取得した場合に、更新情報テーブルに記録された依頼済み端末の情報をクリアしてもよい。また、取得済情報受信部２０４は、通信端末１が計測情報を取得したことをネットワーク情報取得部２０５に通知する。後述する情報送信依頼部２０６は、ネットワーク情報取得部２０５からの通知を受けて通信端末１に計測情報の送信を依頼する。
【００４１】
ネットワーク情報取得部２０５は、通信端末１とサーバ２との間のデータ通信経路となるネットワークの負荷を示す情報を取得する。ネットワーク情報取得部２０５が取得するネットワークの負荷を示す情報は、通信端末１が接続する携帯基地局３の負荷に関する情報を含む。ネットワーク情報取得部２０５は、取得したネットワークの負荷を示す情報を記録部２１に記録する。また、ネットワーク情報取得部２０５は、上記ネットワークの負荷を示す情報を取得したことを情報送信依頼部２０６に通知する。
【００４２】
図７は、ネットワーク情報テーブルの例を示す表である。ネットワーク情報テーブルには、携帯基地局３に対応づけられたエリア識別子、携帯基地局３に接続している通信端末１の数を示す接続端末数、当該携帯基地局３が送信するデータのトラフィック量、携帯基地局３のネットワーク情報を取得した日時が記録されている。
【００４３】
図７に示した表では、例えば、エリア識別子が１０１で表される携帯基地局３には、通信端末１が１００台接続し、２０１６年９月１４日１６：００の時点で２０Ｇｂｐｓのトラフィック量があったことが記されている。
【００４４】
情報送信依頼部２０６は、計測情報の取得を依頼した通信端末１が接続しているネットワークの負荷が計測情報の送信を許容できる目安となる所定の負荷よりも小さい場合に、通信端末１に通信端末１が接続している携帯基地局３を介して計測情報を送信することを依頼する。
【００４５】
情報送信依頼部２０６は、例えば、携帯基地局３のトラフィック量が計測情報の送信を許容できる目安となる所定の値よりも小さい場合に、通信端末１に携帯基地局３を介して計測情報を送信することを依頼する。
【００４６】
情報送信依頼部２０６は、携帯基地局３に接続する通信端末１の数が計測情報の送信を許容できる目安となる所定の数よりも小さい場合に、通信端末１に携帯基地局３を介して計測情報を送信することを依頼してもよい。
【００４７】
情報送信依頼部２０６は、上記条件に加え、さらに、通信端末１の所定の期間過去からのデータ使用量が所定の値よりも小さい場合に、通信端末１に携帯基地局３を介して計測情報を送信することを依頼してもよい。例えば、情報送信依頼部２０６は通信端末１の契約情報を取得し、通信端末１のデータ使用量が、通信料金が定額で収まるデータ使用量上限の９０％未満である場合に、計測情報の送信を依頼する。このようにすると、単位期間あたりの通信端末１のデータ送信量を目標の範囲内に抑えることができる。その結果、例えば、通信端末１の通信料金を節約することができる。
【００４８】
図８は、サーバ２が通信端末１に計測情報の送信を依頼する処理のフローチャートである。先ず、通信端末１が計測情報を取得したことを受信する（Ｓ８１）。続いて、ネットワーク情報取得部２０５が、ネットワークの負荷を示す情報を取得する（Ｓ８２）。
【００４９】
情報送信依頼部２０６は、計測情報の取得を依頼した通信端末１が接続しているネットワークの負荷が計測情報の送信を許容できる目安となる所定の負荷よりも小さい場合に（Ｓ８３においてＹＥＳ）、通信端末１に通信端末１が接続している携帯基地局３を介して計測情報を送信することを依頼する（Ｓ８４）。情報送信依頼部２０６は、計測情報の取得を依頼した通信端末１が接続しているネットワークの負荷が計測情報の送信を許容できる目安となる所定の負荷よりも小さくない場合に（Ｓ８３においてＮＯ）、再度Ｓ８２のネットワークの負荷を示す情報を取得する処理を繰り返す。
【００５０】
［サーバ２が実行する処理のフロー］
図９は、情報処理システムＳが実行する処理のフローチャートである。フローチャートは、端末情報取得部２０１が通信端末１の位置を示す情報と通信端末１が接続している基地局の情報とを取得する処理から開始する（Ｓ９１）。続いて、領域特定部２０２が計測情報を取得する領域を特定する（Ｓ９２）。
【００５１】
続いて、情報取得依頼部２０３が、領域特定部２０２が特定した領域の計測情報の取得を通信端末１に依頼する（Ｓ９３）。続いて、ネットワーク情報取得部２０５がネットワークの負荷を示す情報を取得する（Ｓ９４）。ネットワークの負荷が所定の負荷よりも小さい場合（Ｓ９５においてＹＥＳ）、情報送信依頼部２０６は通信端末１に計測情報の送信を依頼する（Ｓ９６）。ネットワークの負荷が所定の負荷よりも小さくない場合（Ｓ９５においてＮＯ）、ネットワーク情報取得部２０５は再度Ｓ９４のネットワークの負荷を示す情報を取得する処理を実行する。
【００５２】
なお、上記のサーバ２の処理のフローは、端末情報を取得するプログラムと計測情報の取得を依頼するプログラムとネットワーク情報を取得して計測情報の送信を依頼するプログラムとが連続的に実行されるように記載した。しかしながら上記プログラムのそれぞれは、独立に実行されてもよい。
【００５３】
［サーバ２が奏する効果］
上述したとおり、情報処理システムＳは通信端末１とサーバ２とを含む。サーバ２は、一又は複数の移動可能な通信端末１の位置を示す情報と、通信端末１が接続している基地局の情報と、を取得する。サーバ２は、複数の領域のうち、通信端末１に依頼して計測情報を取得する領域を特定し、通信端末１の位置を示す情報に基づいて決定された通信端末１に、特定した上記領域の計測情報の取得を依頼する。サーバ２は、通信端末１との間のデータ通信経路となるネットワークの負荷を示す情報を取得し、計測情報の取得を依頼した通信端末１が接続しているネットワークの負荷が計測情報の送信を許容できる目安となる所定の負荷よりも小さい場合に、通信端末１に通信端末１が接続している基地局を介して計測情報を送信することを依頼する。
【００５４】
このようにすると、サーバ２は、通信端末１が接続する携帯基地局３の通信トラフィック量を平準化することができ、携帯基地局３の携帯基地局の負荷を軽減することができる。
【００５５】
上記取得するネットワークの負荷を示す情報は、通信端末１が接続する携帯基地局３の負荷に関する情報を含み、サーバ２は、携帯基地局３のトラフィック量が計測情報の送信を許容できる目安となる所定の値よりも小さい場合に、通信端末１に携帯基地局３を介して計測情報を送信することを依頼してもよい。このようにすると、サーバ２は、携帯基地局３のトラフィック量が過大にならないように計測情報を収集することができる。
【００５６】
上記取得する前記ネットワークの負荷を示す情報は、通信端末１が接続する携帯基地局３の負荷に関する情報を含み、サーバ２は、携帯基地局３に接続する通信端末１の数が計測情報の送信を許容できる目安となる所定の数よりも小さい場合に、通信端末１に携帯基地局３を介して計測情報を送信することを依頼してもよい。このようにすると、サーバ２は、携帯基地局３の接続端末数が過大でない場合に計測情報を収集することができ、計測情報のアップロードが他の通信端末１の通信の障害となることを抑制できる。
【００５７】
サーバ２は、さらに、依頼した通信端末１から計測情報を取得したことの通知を受信し、上記通知を受けて通信端末１に計測情報の送信を依頼してもよい。このようにすると、サーバ２は通信端末１が計測情報を取得する前に、計測情報の送信を依頼することを防ぐことができる。
【００５８】
サーバ２は、計測情報を更新する所定の期間が経過したか否かに基づいて領域を特定してもよい。このようにすると、上記領域に関する計測情報が大きく変化する前に再度計測情報を収集することを防ぐことができる。
【００５９】
サーバ２は、計測情報を取得するように依頼した通信端末１を識別する情報を記録部に記録し、計測情報を取得するように既に依頼した通信端末には計測情報を取得する依頼をしなくてもよい。このようにすると、サーバ２は既に計測情報の取得を依頼済みの通信端末１に再度依頼することを防ぐことができる。
【００６０】
サーバ２は、さらに、通信端末１の所定の期間過去からのデータ使用量が所定の値よりも小さい場合に、通信端末１に携帯基地局３を介して計測情報を送信することを依頼してもよい。このようにすると、サーバ２は、単位期間あたりの通信端末１のデータ送信量を目標の範囲内に抑えることができる。その結果、例えば、通信端末１の通信料金を節約することができる。
【００６１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００６２】
＜変形例＞
情報送信依頼部２０６は、計測情報の取得を依頼した通信端末１が、携帯基地局３よりも電波の到達範囲が狭く通信容量が大きいＷｉ−Ｆｉ基地局に接続している場合、通信端末１にＷｉ−Ｆｉ基地局を介して計測情報を送信することを依頼してもよい。このようにすると、サーバ２は、携帯基地局３にかかる負荷を軽減して計測情報を取得することができる。このようにすると、サーバ２は、単位期間あたりの通信端末１の携帯基地局３経由のデータ送信量を抑えることができる。その結果、例えば、通信端末１の通信料金を節約することができる。
【符号の説明】
【００６３】
Ｓ・・・情報処理システム
１・・・通信端末
１１・・・カメラ
１２・・・レーザ光源
１３・・・温度センサ
１４・・・ＧＰＳセンサ
１５・・・記録部
１６・・・通信部
１７・・・制御部
１７１・・・計測情報取得部
１７２・・・端末情報送信部
１７３・・・計測情報送信部
２・・・サーバ
２１・・・記録部
２２・・・制御部
２３・・・通信部
２０１・・・端末情報取得部
２０２・・・領域特定部
２０３・・・情報取得依頼部
２０４・・・取得済情報受信部
２０５・・・ネットワーク情報取得部
２０６・・・情報送信依頼部
３・・・携帯基地局
【図１】
2018056646.tif 000003
【図２】
2018056646.tif 000004
【図３】
2018056646.tif 000005
【図４】
2018056646.tif 000006
【図５】
2018056646.tif 000007
【図６】
2018056646.tif 000008
【図７】
2018056646.tif 000009
【図８】
2018056646.tif 000010
【図９】
2018056646.tif 000011